(57)【特許請求の範囲】
【請求項１】
充電器（４）のケース（６）内部に、両端付近に可動端子（７）がほぼ９０度の角度を呈して内向きに形成された金属板からなる端子部材（８）をその中央付近において搖動可能に支承したまま、前記両可動端子（７）がともにケース（６）の受容凹部（５）に突出する状態に設け、これに対して電子機器には固定端子（３）をケース（２）の隅角部に前記両可動端子（７）に対応する状態のもとに外向きに露出するように設け、前記固定端子（３）と前記端子部材（８）との電気的接続を前記両可動端子（７）を介して行うようにしたことを特徴とする充電端子装置。
【請求項２】
電子機器のケース（２）に形成した固定端子（３）を両可動端子（７）にくさび作用により圧接させるようにした請求項１記載の充電端子装置。
【請求項３】
Ｌ字状金属板製の端子部材（８）を採択した請求項１または請求項２記載の充電端子装置。
【請求項４】
充電器（４）の受容凹部（５）に可動端子（７）貫通用の孔（９）を穿設すると共に、端子部材（８）をその可動端子（７）が前記孔（９）に挿通したまま中央付近において傾斜壁による支承部（１０）に圧接させて設けてなる請求項１ないし請求項３のいずれか１項記載の充電端子装置。
【発明の詳細な説明】
【０００１】
【発明の属する技術分野】
本発明は、コ−ドレス電話機等の電子機器と充電器との接続端子部分の構造に関するものである。
【０００２】
【従来の技術】
従来のコ−ドレス電話機用の充電端子装置部としては、例えば図９のように、コ−ドレス電話機Ａの載置台を兼ねた充電器Ｂにおけるケ−スＣの壁体に一対の弾性金属板製支持体ＤをねじＥにより片持ち状態に取付けてその支持体Ｄの先端寄りに可動端子Ｆを突設し、この可動端子Ｆをケ−スＣの壁面から突出させた構造とし、またコ−ドレス電話機Ａについては一対の固定端子Ｇをコ−ドレス電話機ＡにおけるケースＨの壁体に露出するように設け、このような構成のもとに充電器Ｂに対するコ−ドレス電話機Ａの載置に伴い、コ−ドレス電話機Ａにおける固定端子Ｇを可動端子Ｆにその可動方向に一致するほぼ垂直方向に圧接させるようにしたものがある。
【０００３】
また、横置き型および壁掛け型においても、固定端子と可動端子との圧接関係は、縦置き型におけるとほぼ同様であり、なお、支持体Ｄとしてコイルばねを適用することもある。
【０００４】
【発明が解決しようとする課題】
前記従来技術においては、対接する端子同士が一方向に対向したまま圧接する関係上、支持腕Ｄのばね作用が弱い場合あるいは低下した場合には、接触不良を生じて充電に支障を来し易い。
このように充電時の不具合が生じた場合、上記従来の技術においては、充電端子の点検，清掃，部品の交換等が必要となる不利がある。
【０００５】
そこで本発明の目的は、簡単な装備により、安定した圧接状態のもとに接触抵抗を容易に低下することができる充電端子装置を安価に提供することにある。
【０００６】
【課題を解決するための手段】
本発明は上記目的を達成するため、充電器の内部に、両端付近に可動端子がほぼ９０度の角度を呈して内向き方向に形成された金属板からなる端子部材をその中央付近において搖動可能に支承したまま、前記両可動端子がともに充電器の受容凹部に突出する状態に設け、これに対して電子機器には固定端子を前記両可動端子に対応するようにケースの隅角部に露出状態に設け、前記固定端子と前記端子部材との電気的接続を前記両可動端子を介して行うようにしたものである。
また、電子機器に形成した固定端子を両可動端子にくさび状に圧接させるようにし、あるいは端子部材を構成する弾性腕をＬ字状に形成し、なお端子部材の取付けについては、中央付近においてケース内の傾斜壁による支承部に圧接させて設けたものである。
【０００７】
上記構成により、充電器の受容凹部に電子機器を載置すると、互いにほぼ９０度の角度で対向する両可動端子に対して電子機器の固定端子は２方向からの圧接により接触抵抗を低減して安定的な接続が得られ、またくさび作用により一層効果的な圧接状態が得られ、電子機器の蓄電池に対する充電が確実に実施される。
【０００８】
【発明の実施の形態】
以下、本発明の実施形態を図面について詳細に説明する。
【０００９】
図１ないし図３の実施形態は、本発明を縦置き型コードレス電話機用充電器に適用した形態であって、適用対象とするコ−ドレス電話機１としては、例えば図示のように、細長い扁平状のケース２における送話器側の端部に一対の充電用固定端子３を露出状態に設けると共に、ケース２の内部には蓄電池（図示せず）を設けて前記固定端子３に電気的に接続するようにし、かつこれに対する充電器４としては前記コ−ドレス電話機１の下端部の受入れに適応する受容凹部５を備えたケ−ス６を設けるほか、受容凹部５には前記コ−ドレス電話機１の固定端子３に対応する一対の充電用可動端子７を先端が突出する状態に設けると共に、ケ−ス６内には充電回路ユニット（図示せず）を設けてその出力側を前記可動端子７に電気的に接続し、もって図２および図３のようにコ−ドレス電話機１を充電器４から分離した状態より、図１のようなケ−ス６の受容凹部５にコ−ドレス電話機１を縦置き状態のもとに載置して固定端子３を可動端子７に圧接させたままコ−ドレス電話機１に内蔵した蓄電池に充電するようにした型式を採択する。
【００１０】
上記型式に対する本発明の特殊構成としては、前記充電器４におけるケース６内部に、ほぼＬ字状弾性腕の両端付近に前記可動端子７がほぼ９０度の角度を呈して内向きに突設された一対の金属板製端子部材８をそれぞれ＋極および−極に充当して各可動端子７が受容凹部５における孔９から上向きおよび前向きに突出する状態に設け、これに対して電子機器としてのコ−ドレス電話機１には受容凹部５内に突出する可動端子７に対応するように、ケース２の隅角部にＬ字状の一対の固定端子３を少なくともその両端付近が露出する状態に設ける。
【００１１】
前記ケース６の内部には傾斜壁による支承部１０を形成すると共に、前記端子部材８はその両辺の成す角度を適度に鋭角に形成して、端子部材８の両辺を自体の弾性に抗して拡開させつつ中央付近において支承部１０に圧接した状態に支承し、これによりコードレス電話機１を載置しない図３の状態においては、支承部１０と端子部材８との接触部を支点として両端の可動端子７が孔９から突出する状態に安定的に保持し、これに反して充電器４における受容凹部５内部にコードレス電話機１を載置した場合には、図１のようにコードレス電話機１の固定端子３は上向きの両可動端子７と前向きの両可動端子７とをその弾性腕のばね作用に抗して同時に押圧した状態のもとに接続する。
【００１２】
コードレス電話機１を載置した場合において、可動端子７はその支点が単に圧接状態に支承されている関係上、両可動端子７中の一方が押圧されると他方はその押圧の影響によりばね作用は増強されて固定端子３に対する圧接作用が向上する。
【００１３】
前記両端子部材８としては、図４のように、その端部に複葉型の可動端子７を形成し、これにより接触点を増加して確実な接続を図るようにしてもよく、また端子部材８の形状としては図５のように両端付近に可動端子７を形成したＣ字状弾性腕により構成してもよい。
【００１４】
端子部材８の支承については、図６のように端子部材８の中央付近において支承部１０に搖動可能に枢着１１してもよく、また図７のように端子部材８の中央付近をねじ１２により支承部１０に固定してもよい。
【００１５】
図８の実施形態は、コ−ドレス電話機１を充電器４に横臥状態に載置する横置き型の場合であって、この実施形態においては前記縦置き型と縦横の関係が異なるだけで、性質的には異なるところがない関係上、図において同一符号を付して説明は省略する。
【００１６】
【発明の効果】
以上説明したように本発明によれば、著しく簡単な構成により、充電器４の受容凹部５に電子機器を載置した場合、互いにほぼ９０度の角度で対向する両可動端子７に対して電子機器の固定端子３は２方向からの圧接により接触抵抗を低減して安定的な接続が得られ、またくさび作用により一層効果的な圧接状態が得られ、電子機器の蓄電池に対する充電が確実に実施されるのであり、しかも端子部材８をその中央付近において充電器４内の傾斜壁による支承部１０に圧接させて設けるようにしたことにより、簡単な操作のもとに容易かつ確実に取付けることができ、なおＬ字状金属板製の端子部材８を採択したことにより、小型で安価な単一の部材によりほぼ９０度の角度で対向する可動端子７を両端に形成したまま、搖動を許容して効果的に固定端子３に圧接させることができる。
【図面の簡単な説明】
【図１】本発明をコードレス電話機に適用した１実施形態を示す充電端子装置の充電時の部分的縦断側面図である。
【図２】図１の充電端子装置におけるコードレス電話機を分離した状態を示す斜面図である。
【図３】図１の充電端子装置における充電器だけの部分的縦断側面図である。
【図４】他の実施形態における端子部材だけの斜面図である。
【図５】他の実施形態における端子部材の取付け状態の側面図である。
【図６】他の実施形態における端子部材の取付け状態の側面図である。
【図７】更に他の実施形態における端子部材の取付け状態の側面図である。
【図８】本発明を横置き型のコードレス電話機に適用した実施形態を示す充電端子装置の充電時の部分的縦断側面図である。
【図９】従来のコードレス電話機用充電端子装置の充電時の部分的縦断側面図である。
【符号の説明】
２  電子機器のケース
３  固定端子
４  充電器
５  受容凹部
６  充電器のケース
７  可動端子
８  端子部材
９  孔
１０  支承部
【図１】
0003761610.tif 000002
【図２】
0003761610.tif 000003
【図３】
0003761610.tif 000004
【図４】
0003761610.tif 000005
【図５】
0003761610.tif 000006
【図６】
0003761610.tif 000007
【図７】
0003761610.tif 000008
【図８】
0003761610.tif 000009
【図９】
0003761610.tif 000010